(57)【要約】      （修正有）【課題】溶接が簡単になり、溶接の強度が高い振動モーターを提供する。【解決手段】ケースと、ケース内に設けられた振動部材１０１と、前記振動部材を前記ケース内にぶら下げるための弾性接続部１０２とを備え、前記振動部材は、第１の面１０１Ａと、前記第１の面に対向する第２の面と、前記第１の面と第２の面とを連結する側面とを有し、前記弾性接続部は、第１の端部１０２Ａと第２の端部１０２Ｂとを有し、前記第１の端部は前記振動部材の側面に接続し、前記第２の端部は前記ケースに接続する振動モーターであって、第１の端部に、さらにそれぞれ振動部材の第１の面及び第２の面に連結する固定シートが設けられている。これにより、固定シートと振動部材との溶接であっても、第１の端部と振動部材との溶接であっても、いずれも二つの部材の平面溶接であり、溶接工程が簡単になり、溶接の強度は高い。【選択図】図２
2016131973.tif 000002
【特許請求の範囲】
【請求項１】
ケースと、
ケース内に設けられた振動部材と、
前記振動部材を前記ケース内にぶら下げるための弾性接続部とを備え、
前記振動部材は、第１の面と、前記第１の面に対向する第２の面と、前記第１の面と第２の面を連結する側面とを有し、
前記弾性接続部は、第１の端部と第２の端部とを有し、前記第１の端部は前記振動部材の側面に接続し、前記第２の端部は前記ケースに接続する振動モーターにおいて、  前記第１の端部に、さらにそれぞれ前記振動部材の第１の面及び第２の面に連結する固定シートが設けられていることを特徴とする振動モーター。 
【請求項２】
前記第１の端部は、前記第１の面に近い上側エッジと、前記第２の面に近い下側エッジとを有し、前記固定シートは、それぞれ前記上側エッジ及び下側エッジから前記第１の面及び第２の面に向かって伸びていることを特徴とする請求項１に記載の振動モーター。
【請求項３】
前記固定シートと前記上側エッジ及び下側エッジとが連結する部分には、さらに丸取り角が設けられていることを特徴とする請求項２に記載の振動モーター。   
【請求項４】
前記第１の端部には前記第１の面に沿って前記第２の面に向かう方向に三つの溶接点が設けられていることを特徴とする請求項1乃至３のいずれか一つに記載の振動モーター。
【請求項５】
前記固定シートに二つの溶接点が設けられていることを特徴とする請求項４に記載の振動モーター。
【発明の詳細な説明】
【技術分野】
【０００１】
本発明は、振動モーターに関し、特に、携帯型の消費性電子製品のための振動モーターに関する。
【背景技術】
【０００２】
電子技術の発展に伴い、携帯型の消費性電子製品はますます注目されており、例えば、携帯電話、携帯型ゲーム、ナビ装置または携帯型のマルチメディアエンタテインメントデバイスなどがある。これらの電子製品は、一般的に、振動モーターがシステムのフィードバックに用いられている。例えば携帯電話の着信提示、メッセージ提示、ナビ提示、ゲーム機の振動フィードバック等に用いられる。
従来技術の振動モーター10は、ケース（図示せず）と、ケース内に設けられた振動部材11と、振動部材11をケースの内部にぶら下げるための弾性接続部12とを含む。弾性接続部は、二つの端部を備え、一方の端部がケースに接続され、他方の端部が振動部材11に接続される。振動部材11に接続される端部は、振動部材12とYの方向に沿って溶接され、Yの方向の三つの溶接点（図示せず）が形成される必要がある。また、バリアブロック13と弾性接続部12と振動部材11とをZの方向に沿って溶接して、上下側に位置する四つの溶接点１４が形成される。バリアブロック13は、Yの方向上の三つの溶接点を形成するためのものである。
【０００３】
上記の構成には、主に以下の欠陥が存在する。
1、Zの方向に溶接するとき、三つの部材は、三種類の材料より溶接されるので、溶接工程に対して高い要求を求められている。また、溶接することが難しく、溶接点が剥離しやすい。
２、溶接領域に残存応力、マイクロクラック、気孔などが存在するので、溶接領域は、通常部材の弱い部分であり、振動部材が振動するとき、高い応力レベルを発生させて、クラックしやすい。
３、バリアブロックが増加すると、製造コストは高くなる
以上のことに鑑みて、新型の振動モーターを提供する必要がある。
【発明の概要】
【発明が解決しようとする課題】
【０００４】
本発明は、溶接が簡単になり、溶接の強度が高い振動モーターを提供することを目的とする。
【課題を解決するための手段】
【０００５】
本発明による振動モーターは、ケースと、ケース内に設けられた振動部材と、
前記振動部材を前記ケース内にぶら下げるための弾性接続部とを備え、前記振動部材は、第１の面と、前記第１の面に対向する第２の面と、前記第１の面と第２の面を連結する側面とを有し、前記弾性接続部は、第１の端部と第２の端部とを有し、前記第１の端部は前記振動部材の側面に接続し、前記第２の端部は前記ケースに接続する振動モーターであって、前記第１の端部に、さらにそれぞれ前記振動部材の第１の面及び第２の面に連結する固定シートが設けられている。 
【０００６】
好ましくは、前記第１の端部は、前記第１の面に近い上側エッジと、前記第２の面に近い下側エッジとを有し、前記固定シートは、それぞれ前記上側エッジ及び下側エッジから前記第１の面及び第２の面に向かって伸びている。
好ましくは、前記固定シートと前記上側エッジ及び下側エッジとが連結する部分には、さらに丸取り角が設けられている。   
【０００７】
好ましくは、前記第１の端部には第１の面に沿って第２の面に向かう方向に三つの溶接点が設けられている。
好ましくは、前記固定シートに二つの溶接点が設けられている。 
【発明の効果】
【０００８】
固定シートと振動部材の溶接であっても、第１の端部と振動部材との溶接であっても、いずれも二つの部材の面溶接であり、溶接工程が簡単になり、溶接の強度は高い。
【図面の簡単な説明】
【０００９】
【図１】図１は従来技術における振動モーターの構成を示す模式図である。
【図２】図2は本発明による振動モーターの構成を示す模式図である。
【図３】図3は本発明による振動モーターの図2におけるA部分を拡大したものを示す拡大図である。
【発明を実施するための形態】
【００１０】
以下、図面及び実施形態を組み合わせて本発明を更に説明する。
図2及び図3に示すように、本発明の振動モーター100は、ケース（図示せず）と、ケース内に設けられた振動部材10と、振動部材101をケース内にぶら下げるための弾性接続部102とを含む。振動部材101は、第１の面101Aと、第１の面101Aに対向する第２の面（図示せず）と、第１の面101Aと第２の面とを連結する側面101Bとを含む。弾性接続部102は、弾性接続部101の側面101Bに溶接する第１の端部102Aと、ケースに溶接する第２の端部102Bとを有する。
【００１１】
第１の端部102Aは、第１の面101Aに近い上側エッジ、第２の面に近い下側エッジ面を有し、上下側のエッジは、各々が第１の面101A及び第２の面に向かて固定シート103が伸びている。固定シート103は、全体として矩形の形状をなし、上側、下側のエッジに接続する部分には、それぞれ、応力が集中することを避けるように丸取り角103Aが設けられている。
本発明の好ましい実施例では、第１の端部102A及び側面101Bは、第１の面101Aに沿って第２の面に向かう方向に間隔を置いて三つの溶接点104が設けられている。溶接点104は、図面におけるYの方向に沿って第１の端部102Aと振動部材101とを溶接している。固定シート103は、Xの方向に沿って間隔を置いて二つの溶接点105が設けられている。この二つの溶接点105により、Zの方向に沿って固定シート103と振動部材101を溶接する。
【００１２】
固定シート103と振動部材101との間であっても、第１の端部102Aと振動部材101との間であっても、いずれも二つの部材の平面溶接であり、そのため、溶接工程が簡単であり、且つ溶接強度が高い。伝統的な構成に比べると、バリアブロックを省略することができる。そのため、生産コストは低下する。
以上に述べたのは、本発明の実施形態に過ぎない。ここに指摘すべきであるのは、当業者にとっては、本発明の構想を脱逸しない限り、改進することもできるが、これらの改進は全て本発明の保護範囲に属するということである。
【図１】
2016131973.tif 000003
【図２】
2016131973.tif 000004
【図３】
2016131973.tif 000005